(57)【要約】【課題】  携帯端末において、任意の文書を任意のプリンタでユーザの特別な操作が必要なく自動的に最適な方法で印刷可能な印刷手段を提供する。【解決手段】  操作装置において、記録装置上の文書を選択する文書選択手段と、前記選択された文書を印刷する装置を選択する印刷装置選択手段と、選択された文書を選択された印刷装置で印刷する複数の印刷手段を有し、前記複数の印刷手段のうち最適な印刷手段を自動選択する。【選択図】  図１
2011054097.tif 000002
【特許請求の範囲】
【請求項１】
持ち運び可能な操作装置において、
記録装置上の文書を選択する文書選択手段と、
前記選択された文書を印刷する装置を選択する印刷装置選択手段と、
選択された文書を選択された印刷装置で印刷する複数の印刷手段を有し、
前記複数の印刷手段のうち最適な印刷手段を自動選択する自動印刷方法選択手段を備えた操作装置。
【請求項２】
請求項１の操作装置において、
印刷手段の１つは、操作装置が記録装置に印刷装置への印刷を指示するプッシュプリント手段であることを特徴とする操作装置。
【請求項３】
請求項１の操作装置において、
印刷手段の１つは、操作装置が印刷装置に記録装置上の文書をプルするプルプリント手段であることを特徴とする操作装置。
【請求項４】
請求項１の操作装置において、
印刷手段の１つは、操作装置が記憶装置上の文書の一部または全部を操作装置に一時記録して、操作装置から印刷装置にプリントするプロキシ−プリント手段であることを特徴とする操作装置。
【発明の詳細な説明】
【技術分野】
【０００１】
本発明は、文書を選択し印刷指示を行う操作装置に関するものである。
【背景技術】
【０００２】
近年、携帯電話やＰＤＡなど、持ち運び可能な携帯端末が多数製品化されている。携帯端末は年々高機能化し、固定端末と同様の機能を求められるケースが多く発生している。そのような状況の中で、携帯端末を使っているユーザにおいても文書の印刷ニーズは根強いものがある。その一方で、携帯端末は固定端末と比較し画面が狭く小さい、使用可能なメモリ量が少ない、キーボードがない場合があるなど、制約条件がある事が多い。
【０００３】
このように、制約条件のある携帯端末で印刷を行う技術がある。例えば、特開２００４−０３０２８０号は携帯端末に自動的にプリンタドライバのダウンロードを行い、使用し終わったら削除することで印刷に際してユーザに特別な操作を求めない機能を実現している。例えば、特開２００４−０５６３６６は、携帯端末に受信した情報のうち、予め自動印刷出力するように指定された情報を、該携帯電話と接続した携帯プリンタへ送信し、該携帯プリンタより自動印刷出力する機能を実現している。
【先行技術文献】
【特許文献】
【０００４】
【特許文献１】特開２００４−０３０２８０号公報
【特許文献２】特開２００４−０５６３６６号公報
【発明の概要】
【発明が解決しようとする課題】
【０００５】
しかしながら、従来技術には下記のような課題がある。特開２００４−０３０２８０号に記載されているような、プリンタドライバのダウンロードを行う方法を実行するためには、携帯端末用のプリンタドライバが用意されている、携帯端末にプリンタドライバが実行可能なメモリ資源が十分あるという制約が生じる。実際に市場に流通しているプリンタや携帯端末の数は膨大であり、それら全ての組み合わせのプリンタドライバを用意することは非常に困難である。
【０００６】
一方、特開２００４−０５６３６６は特定文書の自動印刷方法であり任意の文書を任意のプリンタで印刷する用途には使用できない。
【０００７】
また、一般的に記憶装置や印刷装置の能力は様々であり、それらの装置能力をすべて把握した上で、最適な印刷手段をユーザが選択する事は困難である。このため、メモリ資源等の制約が厳しい携帯端末において、任意の文書を任意のプリンタでユーザの特別な操作が必要なく自動的に最適な印刷手段で印刷可能な技術が望まれている。
【課題を解決するための手段】
【０００８】
上述した課題を解決するために、本発明は、持ち運び可能な操作装置において、
記録装置上の文書を選択する文書選択手段と、
前記選択された文書を印刷する装置を選択する印刷装置選択手段と、
選択された文書を選択された印刷装置で印刷する複数の印刷手段を有し、
前記複数の印刷手段のうち最適な印刷手段を自動選択する自動印刷方法選択手段を備えたことを特徴とする。
【発明の効果】
【０００９】
本発明によって、持ち運び可能な操作装置において、様々な記憶装置上にある任意の文書を、様々な印刷装置の中から選択した任意のプリンタで印刷する事が可能となる。これらの事によりユーザの利便性が向上する。
【図面の簡単な説明】
【００１０】
【図１】構成を示すブロック図である。
【図２】文書選択方法の説明図である。
【図３】印刷装置選択方法の説明図である。
【図４】印刷方法選択における説明フローチャートである。
【図５】プッシュプリント方法の説明図である。
【図６】プルプリント方法の説明図である。
【図７】プロキシープリント方法の説明図である。
【発明を実施するための形態】
【００１１】
次に、以下の添付図面を参照して、本発明を好適な実施形態に従って詳細に説明する。
【００１２】
図１は本発明の実施例の構成を示すブロック図である。
【００１３】
図１において、１００は持ち運び可能な携帯端末である。１１０は文書が格納されている文書記憶装置、１２０は文書の印刷を行う印刷装置である。文書記憶装置１１０および印刷装置１２０は同様の機能を有した装置が複数存在している。１３０はＬＡＮ等の双方向通信可能な通信手段である。ＬＡＮ１３０は無線・有線を問わない。携帯端末１００はＬＡＮ１３０上の複数ある記憶装置から文書記憶装置１１０を選択し、その中にある文書を選び、印刷装置として印刷装置１２０を選択する事で、選択文書の印刷を行う。文書記憶装置１１０と文書記憶装置１１０上の文書と印刷装置１２０の選択に必要な通信、実際の印刷に必要な通信はすべてＬＡＮ１３０上で行われる。
【００１４】
図２は文書選択方法の説明図である。
【００１５】
図２において、ユーザ２００は携帯端末１００を操作し、ＬＡＮ１３０上にある文書記憶装置であるデバイスＡという記憶装置１１０の記憶内容をブラウズし、携帯端末１００にデバイスＡ１１０の文書リスト２１０を表示させている。表示された文書リスト２１０から印刷したい任意の文書を選択する。
【００１６】
図３は印刷装置選択方法の説明図である。
【００１７】
図３において、ユーザ２００は携帯端末１００を操作し、ＬＡＮ１３０上にある印刷装置リスト２２０を表示させる。表示された印刷装置リスト２２０から任意の印刷装置を選択する。ここではデバイスＢという印刷装置１２０が選択されている。
【００１８】
図４は印刷方法選択における説明フローチャートである。携帯端末１００は、ユーザ２００が文書記憶装置１１０上の印刷文書と印刷装置１２０を選択した際にこのフローチャートを実行し、印刷方法の自動選択を行う。
【００１９】
まず、Ｓ１００１で文書を格納している記憶装置１１０であるデバイスＡは他機へのプリント指示手段を有しているか判断する。他機へのプリント指示手段を有している場合はＳ１００２へ進み、有していない場合はＳ１００３へ進む。Ｓ１００２ではデバイスＡから印刷装置１２０であるデバイスＢにプッシュプリントする指示を携帯端末１００からデバイスＡに出す。指示が終わるとフローチャートを終了する。なお、ここでいうプッシュプリント手段とは、いわゆるＬＰＲやＲＡＷ（Ｐｏｒｔ９１００）やＩＰＰといった一般的なプッシュ型の印刷方法である。
【００２０】
Ｓ１００３では、印刷装置であるデバイスＢは他機からのプルプリント手段を有しているか判断する。他機からのプルプリント手段を有している場合はＳ１００４へ進み、有していない場合はＳ１００５へ進む。Ｓ１００４ではデバイスＢがデバイスＡからプルプリントする指示を携帯端末１００からデバイスＢに対して行う。指示が終わるとフローチャートを終了する。なお、ここでいうプルプリント手段とは、いわゆるHTTP://server/data/documentA.pdfやFILE://server.com/data/documentA.pdfといった参照型の印刷方法である。
【００２１】
Ｓ１００５では、デバイスＡ上の選択文書を携帯端末１００に取り込み、携帯端末１００経由でデバイスＢに印刷指示を行う。文書記憶装置１１０と印刷装置１２０間で直接データをやりとりせず、携帯端末１００を経由するためプロキシー印刷方法と呼ぶ。経由に際して文書の一部または全部を携帯端末１００に一時記録して印刷装置１２０へ文書データの転送を行う。印刷が終わるとフローチャートを抜ける。
【００２２】
図５はプッシュプリント方法の説明図である。Ｓ１００２の印刷手段実行時に、この処理が行われる。
【００２３】
図６はプルプリント方法の説明図である。Ｓ１００４の印刷手段実行時に、この処理が行われる。
【００２４】
図７はプロキシープリント方法の説明図である。Ｓ１００５の印刷手段実行時に、この処理が行われる。
【００２５】
以上説明した内容により、様々な記憶装置上にある任意の文書を、様々な印刷装置の中から選択した任意のプリンタでユーザの特別な操作が必要なく自動的に最適な印刷手段で印刷する事が可能となる。これらの事によりユーザの利便性が向上する。
【符号の説明】
【００２６】
１００  携帯端末
１１０  文書記憶装置
１２０  印刷装置
１３０  ＬＡＮ
２００  ユーザ
２１０  文書リスト
２２０  印刷装置リスト
【図１】
2011054097.tif 000003
【図２】
2011054097.tif 000004
【図３】
2011054097.tif 000005
【図４】
2011054097.tif 000006
【図５】
2011054097.tif 000007
【図６】
2011054097.tif 000008
【図７】
2011054097.tif 000009